Podtech/llm-jp-corpus-v4-ja_patent huggingface dataset:
(57)【要約】      （修正有）【課題】固定バンドを使用し人体に固定することで、安定した状態で使用することができ、両手を塞がれることなく作業性を向上させ、持ち運びを容易にし、不特定の場所での格納場所を作り紛失防止を可能にする携帯用電子機器を固定バンド付き台座を提供する。【解決手段】携帯用電子機器を固定バンド付き台座に固定し、固定バンドを使用し人体に固定して使用することで使いやすさの向上ができ、安定した状態での使用が可能になる。又、不特定の場所での格納場所ができるので、持ち運びやすさが向上し紛失防止にも役立つものである。【選択図】図１
0003183303.tif 000002
【実用新案登録請求の範囲】
【請求項１】
携帯用電子機器を固定バンド付き台座に固定し、固定バンドを使用し人体に固定することで、安定した状態で使用できることを特徴とする、携帯用電子機器を固定する固定バンド付き台座
【請求項２】
携帯用電子機器を固定バンド付き台座に固定し、固定バンドを使用し人体に固定することで、両手をあけることができ作業性を向上させることができることを特徴とする、携帯用電子機器を固定する固定バンド付き台座
【請求項３】
携帯用電子機器を固定バンド付き台座に固定し、固定バンドを使用し人体に固定することで、持ち運びやすくすることを特徴とする、携帯用電子機器を固定する固定バンド付き台座
【請求項４】
携帯用電子機器を固定バンド付き台座に固定し、固定バンドを使用し人体に固定することで、不特定の場所においても紛失防止が可能になることを特徴とする、携帯用電子機器を固定する固定バンド付き台座
【考案の詳細な説明】
【技術分野】
【０００１】  携帯用電子機器を固定バンド付き台座に固定し、人体に固定バンドを使用し固定することにより、持ち運びやすさと安定した状態で使用できること、又紛失防止が可能になることを目的とするものである。
【背景技術】
【０００２】  携帯用電子機器を手に持って使用する際、持ち手が不安定になるため、固定バンド付き台座を考案したものである。【０００３】  携帯用電子機器を照明代わりに使用するなどの際、手首等に固定バンド付き台座にのせ固定し、それにより両手を使えることで作業性の向上をはかることができるため、固定バンド付き台座を考案したものである。【０００４】  携帯用電子機器を使用しない時、固定バンド付き台座に固定し人体に固定バンドを使用し固定しておくことで、持ち運びやすく又紛失防止が可能になるため、固定バンド付き台座を考案したものである。
【先行技術文献】
【特許文献】
【０００５】
【特許文献１】
【特許文献２】
【非特許文献】
【０００６】
【非特許文献１】
【非特許文献２】
【考案の概要】
【考案が解決しようとする課題】
【０００７】  携帯用電子機器を使用する時、本体を保持する片方の手は常に塞がれる状態になるので、固定バンド付き台座に携帯用電子機器を固定し、固定バンドを使用し人体に固定することにより、携帯用電子機器を使用中にも両手を使用することを可能にするものである。【０００８】  携帯用電子機器を固定バンド付き台座に固定し、人体に固定バンドを使用し固定することにより、持ち運びしやすく、外出先や不特定の場所でも格納しておくことで紛失防止を可能にするものである。
【課題を解決するための手段】
【０００９】  本考案は、携帯用電子機器を使用する場合に、固定バンド付き台座に固定した携帯用電子機器を、人体に固定バンドを使用し固定して使用することにより、不安定な状態から解放され、安定した状態での使用ができることにより、問題を解決している。【００１０】  本考案は、携帯用電子機器を持ち運ぶ時や、不特定の場所での定まった格納場所を設置することにより、紛失防止が可能になり、問題を解決している。
【考案の効果】
【００１１】  携帯用電子機器を使用する場合には、片方の手に持ち不安定な状態で使用するので、携帯用電子機器を固定バンド付き台座に固定し、人体に固定バンドを使用し固定することで安定した状態での使用が可能になり、両手を塞がれることから解放される。又、外出先や不特定の場所においても格納場所ができることにより、紛失防止の可能になることにも役立つものである。
【図面の簡単な説明】
【００１２】
【図１】本考案の携帯用電子機器の固定バンド付き台座の使用実施例を示す図である。
【図２】本考案の携帯用電子機器の固定バンド付き台座の使用実施例を示す図である。
【図３】本考案の携帯用電子機器の固定バンド付き台座の正面から見た図である。
【図４】本考案の携帯用電子機器の固定バンド付き台座の裏面から見た図である。
【図５】図１のＡから見た図である。
【図６】図１のＢから見た図である。
【考案を実施するための形態】
【００１３】  携帯用電子機器の固定バンド付き台座を、人体の腕等任意の場所に固定バンドを使用し固定し、携帯用電子機器を台座に固定し使用するものである。
【実施例】
【００１４】  図１のように、固定バンドを使用し携帯用電子機器の固定バンド付き台座を人体に固定し、台座に携帯用電子機器を固定することで、安定した状態で使用することができる。【００１５】  図２のように、固定バンドを使用し携帯用電子機器の固定バンド付き台座を人体に固定し、台座に携帯用電子機器を固定して持ち運ぶことで、外出先や不特定の場所においても格納しておくことができ、紛失防止を可能にすることができる。
【産業上の利用可能性】
【００１６】
【符号の説明】
【００１７】１  携帯用電子機器の台座
２  人体に固定するためのバンド
【図１】
0003183303.tif 000003
【図２】
0003183303.tif 000004
【図３】
0003183303.tif 000005
【図４】
0003183303.tif 000006
【図５】
0003183303.tif 000007
【図６】
0003183303.tif 000008
(57)【要約】【課題】多機能のアームカバーを提供する。【解決手段】アームカバー１０は、加圧部１２と、日焼け抑制部１４と、吸汗部１６とを備える。加圧部１２は、上腕１８を締め付けながら覆っている。日焼け抑制部１４は、上腕１８、肘２０、および前腕２２を覆い、紫外線透過量を減少させる。吸汗部１６は、手首２４を覆い、腕から出る汗を吸収する。アームカバー１０は、セラミック粉体が含浸されている綿糸によって、一体に形成されている。このセラミック粉体は、数種類の多孔質セラミックスの混合物の粉体であり、活性酸素を減少させる。活性酸素を減少させるセラミックス粉体を含むアームカバー１０を腕に装着すれば、このセラミックスが生体内の成分に作用して、健康状態の維持や改善が図れると推測される。【選択図】図１
0003183305.tif 000002
【実用新案登録請求の範囲】
【請求項１】
上腕を締め付けながら覆う加圧部と、
上腕、肘、および前腕を覆い、紫外線透過量を減少させる日焼け抑制部と、
手首を覆い、汗を吸収する吸汗部と、
を有し、
繊維で一体に形成されたアームカバー。
【請求項２】
請求項１において、
前記繊維は、セラミックス紛体が含浸されているアームカバー。
【請求項３】
請求項２において、
前記セラミックス紛体は、活性酸素を減少させるアームカバー。
【考案の詳細な説明】
【技術分野】
【０００１】  本考案は、運動や屋外作業等をするときに使用するアームカバーに関する。
【背景技術】
【０００２】  日焼け防止のためのアームカバーが知られている。このアームカバーは、暑い時季に必要に応じて腕を覆うように装着して、腕の日焼けを防ぐ。しかしながら、このアームカバーは日焼け防止効果しかない。日焼け防止以外にも機能がある多機能のアームカバーの出現が望まれている。
【考案の概要】
【考案が解決しようとする課題】
【０００３】  本考案は上記事情に鑑みてなされたものであり、多機能のアームカバーを提供することを目的とする。
【課題を解決するための手段】
【０００４】  本考案のアームカバーは、上腕を締め付けながら覆う加圧部と、上腕、肘、および前腕を覆い、紫外線透過量を減少させる日焼け抑制部と、手首を覆い、汗を吸収する吸汗部と、を有し、繊維で一体に形成されている。本考案のアームカバーにおいて、繊維は、セラミックス粉体が含浸されていてもよい。本考案のアームカバーにおいて、セラミックス粉体は、活性酸素を減少させるものが好ましい。
【考案の効果】
【０００５】  本考案によれば、多機能のアームカバーが得られる。
【図面の簡単な説明】
【０００６】
【図１】本考案の実施形態に係るアームカバーを腕に装着した状態を示す図である。
【考案を実施するための形態】
【０００７】  以下、本考案のアームカバーについて、図面を参照しながら実施形態に基づいて説明する。なお、図面は、アームカバーおよびアームカバーを構成する部材を模式的に表したものであり、これらの実物の寸法および寸法比は、図面上の寸法および寸法比と必ずしも一致していない。
【０００８】  図１は、本考案の実施形態に係るアームカバー１０を腕に装着した状態を示す。アームカバー１０は、加圧部１２と、日焼け抑制部１４と、吸汗部１６とを備える。アームカバー１０は、繊維で一体に形成されている。アームカバーの形状に一体で編めれば、アームカバー１０の材料として使用できる繊維に制限はない。本実施形態では、セラミックス粉体が含浸されている天然繊維を用いて、アームカバー１０を一体に編んでいる。
【０００９】  加圧部１２は、上腕１８を締め付けながら覆っている。このため、上腕１８での血流量が適度に減少し、上腕１８の疲労状態を効率的に発生させられる。日焼け抑制部１４は、上腕１８、肘２０、および前腕２２を覆い、紫外線透過量を減少させる。すなわち、日焼け抑制部１４によって、上腕１８、肘２０、および前腕２２への紫外線照射量が、アームカバー１０を装着しないときと比べて減少する。
【００１０】  吸汗部１６は、手首２４を軽く締め付けながら覆っている。吸汗部１６は、腕から出る汗を吸収する。テニスやゴルフ等の運動をするときにアームカバー１０を腕に装着すれば、吸汗部１６によって、腕から出た汗が手に流れて手が滑りやすくなるのを抑えられる。また、吸汗部１６で顔の汗等を拭うことができる。
【００１１】  つぎに、アームカバー１０の製造方法について説明する。まず、含浸装置を用いて、セラミックス粉体を天然繊維に含浸させる。天然繊維１００質量部に添加するセラミックス粉体は、１質量部〜５質量部程度が好ましい。セラミックス粉体の粒径は、１μｍ〜５μｍ程度が好ましい。また、セラミックス粉体は、活性酸素を減少させるものが好ましい。活性酸素を減少させるセラミックスとしては、数種類の多孔質セラミックスの混合物等が挙げられる。例えば、数種類の多孔質セラミックスの混合物（特定非営利活動法人日本健康事業促進協会から入手（商品名：プラウシオン））の粉体を、酸化還元電位が６１０ｍＶの水道水に添加し６０分経過すると、酸化還元電位が１３３ｍＶまで減少する。したがって、このセラミックス粉体は、活性酸素を減少させると推定できる。
【００１２】  活性酸素を減少させるセラミックスは、生体に接触すれば、生体の劣化を抑えられると考えられる。したがって、活性酸素を減少させるセラミックス粉体を含むアームカバー１０を腕に装着すれば、このセラミックスが生体内の成分に作用して、健康状態の維持や改善が図れると推測される。
【００１３】  つぎに、編み機を用いて、上記工程によって得られた繊維を編んでいき、アームカバー１０を一体に形成する。より具体的には、材料の繊維を糸ゴムに巻き付けながら編んで加圧部１２を形成し、その後、材料の繊維を編んで日焼け抑制部１４を形成し、さらに、材料の繊維を糸ゴムに巻き付けながら編んで吸汗部１６を形成する。糸ゴムの種類、太さ、配合割合等は、加圧部１２と吸汗部１６に要求される伸縮度や厚さ等に応じて、適宜選択する。なお、この手順とは反対に、吸汗部１６、日焼け抑制部１４、加圧部１２の順序で編んでもよい。
【００１４】  このようにして、アームカバー１０が製造される。アームカバー１０は、腕の地肌に直接装着してもよいし、加圧部１２が着衣の袖と上から重なるように、アームカバー１０を腕に装着してもよい。また、日焼け抑制部１４の一部と加圧部１２が着衣の袖と上から重なるようにアームカバー１０を腕に装着してもよいし、着衣の袖と地肌の間に加圧部１２が配置されるようにアームカバー１０を腕に装着してもよい。本考案のアームカバーによれば、加圧トレーニング効果、日焼け抑制効果、および吸汗効果が得られる。また、本考案の活性酸素を減少させるセラミックス粉体を含むアームカバーによって、健康状態の維持や改善が期待できる。
【符号の説明】
【００１５】  １０  アームカバー
１２  加圧部
１４  日焼け抑制部
１６  吸汗部
１８  上腕
２０  肘
２２  前腕
２４  手首
【図１】
0003183305.tif 000003
(57)【要約】      （修正有）【課題】内装工が使用するヘラにおいて、製造時の工期及びコストを改善する構造のヘラを提供する。【解決手段】ヘラ板を把持柄２側と塗りつけ先端側に２分した、略半楕円形部材５と略等脚台形部材６の２つの部材から成り、前述の本来のヘラ板と同等の厚さかつ、一定の厚みである略半楕円形部材５と、前述の研磨作業後のヘラ板塗りつけ先端付近と同等の厚さかつ、一定の厚みである略等脚台形部材を、略半楕円形部材５の直線部と略等脚台形部材６の長底辺部が平行になるように、固着した構造とすることによって上記課題を解決するものである。【選択図】図５
0003183310.tif 000002
【実用新案登録請求の範囲】
【請求項１】
厚みが一定の強固な略半楕円形部材と、一定の厚みであって薄く可撓性のある略等脚台形部材を、略半楕円形部材の直線部と略等脚台形部材の長底辺部が平行になるように、２つの部材を固着した構造を特徴とするヘラ。
【考案の詳細な説明】
【技術分野】
【０００１】  本考案は、塗り壁材、モルタルおよびパテ等の可塑性材料を、建築物の仕上げ時、表面に塗るためのヘラに関するものである。
【背景技術】
【０００２】  可塑性材料を表面に塗る道具として左官用鏝以外にもヘラが近年用いられている。
【先行技術文献】
【特許文献】
【０００３】
【特許文献１】  実用新案登録第３０９０８３３号
【考案の概要】
【考案が解決しようとする課題】
【０００４】  ヘラは、内装工が室内の壁に貼られている、古くなった壁紙を剥がしたり、塗装工が歳月を経て汚損した塗装を剥離する時に使用するものであり、作業の性質上、図１および図２に示す１のように本来のヘラ板は１ｍｍ程度の一定の厚みを有する、１枚の金属性の板から成っており、可撓性を有しない構造になっている。【０００５】  塗り壁材やパテ等の可塑性材料は、左官職人が左官用鏝を使用して塗るものであったが、近年、内装工がヘラを使って建築物の仕上げ時に塗る機会が増加している。
前述のとおり、本来のヘラは、可撓性を有していないため、可塑性材料を均一な厚みで壁等の表面に塗り広げることが困難であったことから、図３および図４の３に示すとおり、ヘラ板の厚みを把持柄接続部から塗りつけ先端に向かって漸次、薄くなるように、例えば塗りつけ先端部３ａで０．２ｍｍ程度になるように研磨して、塗りつけ先端付近において可撓性を有するヘラを製造業者が製造し、内装工へ提供しているところである。【０００６】  しかしながら、ヘラ板に研磨作業を施すことは、時間を要し、また研磨作業のための人件費や材料費が発生し、工期の面でもコストの面でも不利に働くので、本考案は、この欠点を解決しようとするものである。
【課題を解決するための手段】
【０００７】  本考案は、ヘラ板を把持柄側と塗りつけ先端側に２分した、略半楕円形部材と略等脚台形部材の２つの部材から成り、前述の本来のヘラ板と同等の厚さかつ、一定の厚みである略半楕円形部材と、前述の研磨作業後のヘラ板塗りつけ先端付近と同等の厚さかつ、一定の厚みである略等脚台形部材を、略半楕円形部材の直線部と略等脚台形部材の長底辺部が平行になるように、固着した構造とすることにより、前述の欠点を解決する。
【考案の効果】
【０００８】  本考案は、相当の厚みを有する把持柄側略半楕円形部材に、薄い厚みの塗りつけ先端側略等脚台形部材を固着しているため、可塑性材料の塗りつけ作業時、略等脚台形部材の塗りつけ先端付近のみが撓む構造となる。【０００９】  本考案は、２つの部材を、例えば接着剤あるいは溶接で固着するため、研磨作業に比べて工期が短く、コスト面でも安価である。
【考案を実施するための形態】
【００１０】  本考案は、ヘラ板を把持柄側と塗りつけ先端側に２分した、略半楕円形部材と略等脚台形部材の２つの部材から成り、前述の本来のヘラ板と同等の厚さかつ、一定の厚みである略半楕円形部材と、前述の研磨作業後のヘラ板塗りつけ先端付近と同等の厚さかつ、一定の厚みである略等脚台形部材を、略半楕円形部材の直線部と略等脚台形部材の長底辺部が平行になるように、固着した構造とする。
【実施例】
【００１１】  本考案を図において説明すると、図７に示す略半楕円形部材５および図８に示す略等脚台形部材６の２つの部材を、図５および図６に示す、例えば重ね代４を設け、接着剤で貼りあわせた構造とする。【００１２】  ２つの部材の固着方法は、接着剤にかかわらず、溶接等でも当然よい。また、重ね代４を設けず、略半楕円形部材５の直線部と略等脚台形部材６の短底辺部を突き合わせて溶接や圧接を施してもよい。
【図面の簡単な説明】
【００１３】
【図１】本来のヘラの平面図である。
【図２】本来のヘラの正面図である。
【図３】ヘラ板に研磨作業を施したヘラの平面図である。
【図４】ヘラ板に研磨作業を施したヘラの正面図である。
【図５】本考案のヘラの平面図である。
【図６】本考案のヘラの正面図である。
【図７】本考案のヘラの略半楕円形部材の平面図である。
【図８】本考案のヘラの略等脚台形部材の平面図である。
【符号の説明】
【００１４】１      ヘラ板を示す。
２      把持柄を示す。
３      研磨作業後のヘラ板を示す。
３ａ    塗りつけ先端部を示す。
４      重ね代を示す。
５      本考案の略半楕円形部材を示す。
６      本考案の略等脚台形部材を示す。
【図１】
0003183310.tif 000003
【図２】
0003183310.tif 000004
【図３】
0003183310.tif 000005
【図４】
0003183310.tif 000006
【図５】
0003183310.tif 000007
【図６】
0003183310.tif 000008
【図７】
0003183310.tif 000009
【図８】
0003183310.tif 000010
(57)【要約】      （修正有）【課題】ベルト通しとしての機能と、カラビナやナスカンなどをを使用して吊り下げるための受け口（以下、ストラップホルダー）としての機能を１つの部品で実現したベルト通しを提供する。【解決手段】ベルト通し１としての十分な固定力と強度を持たせるためにベルト通しの横幅を確保し、また、ベルト通しに２本の貫通した溝２，３を配置することでストラップホルダーとしての機能を追加した。これにより、ベルト通しとしても、ストラップホルダーとしても主だった機能として提供することが可能となった。【選択図】図１
0003183301.tif 000002
【実用新案登録請求の範囲】
【請求項１】
ストラップホルダー（カラビナやナスカンなどのストラップの受け口）としての機能を加えるための貫通した２本の溝を備え、ストラップホルダーとしての機能とベルト通しの機能を一体としたことを特徴とするベルト通し。
【考案の詳細な説明】
【技術分野】
【０００１】
本考案は、衣服のウエスト部に装着するベルトに通したり、ストラップで吊り下げて使用する携帯用小物入れに関するものである。
【背景技術】
【０００２】
従来の携帯用小物入れは背面のベルト通しをベルトに通して固定する方法と、カラビナやナスカンなどのストラップをストラップの受け口（以下、ストラップホルダー）に固定し、ベルトから吊り下げて使用する方法が一般的である。
既存の製品では、どちらか一方の機能を備えていることが多く、両方の機能を備えている場合はどちらか一方の機能が主となっている。
主となる機能は十分でも副となる機能は使い勝手が悪く、十分な機能を提供出来ていない。
これは、ベルト通しとしての機能を提供する部品とストラップホルダーとしての機能を提供する部品が別体であり、製品のバランス上重要な位置（携帯用小物入れ上部中央付近）にベルト通し、又は、ストラップホルダーのどちらか一方の部品しか配置出来ないためである。
【考案の概要】
【考案が解決しようとする課題】
【０００３】
本考案は、ベルト通しとストラップホルダーを一体とし、ベルト通しとして使用しても、ストラップホルダーとして使用しても、もどちらも主な機能として使用出来るだけの十分な機能を提供するものである。
【課題を解決するための手段】
【０００４】
ベルト通しとしての十分な固定力と強度を持たせるためにベルト通しの横幅を確保した。
また、ベルト通しにストラップホルダーとしての機能を持たせるために、ベルト通しに２本の貫通した溝を配置した。
【考案の効果】
【０００５】
ベルト通しとしての十分な機能を有し、かつストラップホルダーとしても十分な機能を持たせることが可能となり、
どちらも主だった機能として十分な機能を提供することが可能となった。
ベルト通しとして十分な強度と固定力を有し、上半身の動きを妨げない位置に携帯用小物入れを固定することが出来る。
また、ストラップホルダーとしても理想的な位置になり、携帯用小物入れが斜めになることなく吊り下げることが出来る。
また、部品が一体となることでデザインの妨げになることなく２つの機能を提供することが出来るようになった。
【図面の簡単な説明】
【０００６】
【図１】ベルトループ兼ストラップホルダー単体の斜視図
【図２】カラビナを装着したストラップホルダー使用例の平面図、側面図
【図３】ベルトを使用したベルト通し使用例、平面図、側面図
【符号の説明】
【０００７】
１．ベルト通し
２．ストラップホルダー用の貫通溝
３．ストラップホルダー用の貫通溝
４．ストラップホルダー部
５．携帯用小物入れ
【図１】
0003183301.tif 000003
【図２】
0003183301.tif 000004
【図３】
0003183301.tif 000005
(57)【要約】      （修正有）【課題】ハイヒールなどのヒールの高い靴の着用時に、足が爪先の方に滑ることを抑制できるとともに、着用者の感じる圧迫感を可及的に抑制可能な靴用滑り止め部材を提供する。【解決手段】平面視において靴内部底面の踵領域と略相似形を呈すると共に、その中央部に孔部１３を有し、孔部を囲む部位を肉厚としたリング形状に構成する。孔部を囲む部位のうち、靴内部底面の踏まず領域側１１は、高さ方向、幅方向共に肉厚に形成した枕部を設け、踏まず領域側以外の周縁部１２は主に高さ方向に肉厚に形成する。本滑り止め部材を靴内の踵領域に貼着することにより、着用者の踵と靴の踵部との隙間が埋められ、踵が固定される。【選択図】図３
0003183950.tif 000002
【実用新案登録請求の範囲】
【請求項１】
平面視において靴内部底面の踵領域と略相似形を呈すると共に、その中央部に孔部を有し、孔部を囲む部位を高さ方向に肉厚としたリング形状の靴用滑り止め部材。
【請求項２】
孔部を囲む部位のうち、靴内部底面の踏まず領域側は、高さ方向、幅方向共に肉厚に形成した枕部（１１）を設け、踏まず領域側以外の周縁部（１２）は主に高さ方向に肉厚に形成した請求項１に記載の靴用滑り止め部材。
【考案の詳細な説明】
【技術分野】
【０００１】
本考案は、ハイヒールその他、踵が高い靴の中で、着用者の足が爪先方向に滑落することを防止するための滑り止め部材に関する。
【背景技術】
【０００２】
特許文献１及び特許文献２には、踵を載せる碗形状凹部を設けた、婦人靴用中底が開示されている。
【先行技術文献】
【特許文献】
【０００３】
【特許文献１】特開２００７−３１２８２２号公報
【特許文献２】特開２００７−１３０２６８号公報
【考案の概要】
【考案が解決しようとする課題】
【０００４】
３５ｍｍ以上の高さを有するヒールを備えた靴は、踵底面が爪先方向に向かって傾斜しているため、着用者の足が靴の中で前方に滑ってしまう。係る事態に至ると、靴のサイズが合っていても踵抜けが生じてしまう。また、爪先が痛くなる、足裏にマメが出来る、靴ずれができるといった弊害も生じる。
【０００５】
更には、着用時に拇指球部を中心に体重がかかる、いわゆる爪先歩行になり、体勢が前方への傾斜することになる。かかる傾斜体勢により、足首、膝、腰等に負担がかかり疲労しやすいと共に、肩こりや頭痛、脚のむくみなども引き起こす。
【０００６】
そこで、図６、図７に示すように、中敷の爪先部分にシリコン製の滑り止めパッド５を貼ることが行われることがある。しかしパッドの厚み分、甲部で靴が窮屈になるという難点を有する。
【０００７】
また、踵抜けを防止するため、履口近傍にパッド６を貼着することも行われているが、係る手段を採用すると、踵が抜けなくなったとしても、材厚分は足を前方に押してしまい、上記弊害の解消はできないばかりか、靴のサイズが合わなくなるという別の問題点まで生じてしまう。
【０００８】
そこで、本考案はハイヒールなどのヒールの高い靴の着用時に、足が爪先の方に滑ることを抑制できるとともに、着用者の感じる圧迫感を可及的に抑制可能な靴用滑り止め部材を提供することを目的とする。
【課題を解決するための手段】
【０００９】
上記の目的を達成する本考案の構成は次の通りである。
【００１０】
（１）  請求項１に記載の考案は、平面視において靴内部底面の踵領域と略相似形を呈すると共に、その中央部に孔部を有し、孔部を囲む部位を肉厚としたリング形状に構成した。
【００１１】
（２）請求項２に記載の考案は、請求項１に記載の靴用滑り止め部材において、孔部を囲む部位のうち、靴内部底面の踏まず領域側は、高さ方向、幅方向共に肉厚に形成した枕部を設け、踏まず領域側以外の周縁部は主に高さ方向に肉厚に形成した。
【考案の効果】
【００１２】
上記のように構成される本考案が、如何に作用して課題を解決するかを図面を参照しながら概説する。
【００１３】
図１は本考案を靴に装着した状態を示す説明図である。靴用滑り止め部材１０は、靴１内の踵領域２に貼着して使用するものである。図示されるように着用者の足３の土踏まずが、靴用滑り止め部材１０の肉厚に形成された枕部１１に当接することで、爪先方向への滑落を防止可能なものである。図に示すように靴用滑り止め部材１０は、その孔部１３を囲む、枕部１１以外の周縁部分１２も肉厚に形成してある。この周縁部１２が着用者の足３の踵と靴の踵部との隙間を埋めることで、着用者の踵が固定され、つまりは足３がより安定的に支持され、爪先方向への滑落をより効果的に抑制可能となるのである。
【００１４】
また、靴の踏まず領域４には、靴用滑り止め部材１０は存在しないので、着用者の甲が圧迫されることがないのである。
【図面の簡単な説明】
【００１５】
【図１】本考案の実施状態を示す説明図
【図２】本考案を靴内部に装着した状態を示す説明図
【図３】本考案の平面図
【図４】Ａ−Ａ線断面図
【図５】Ｂ−Ｂ線断面図
【図６】従来例の実施状態を示す説明図
【図７】従来例を靴内部に装着した状態を示す説明図
【考案を実施するための形態】
【００１６】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００１７】
図１に示されるように本考案に係る靴用滑り止め部材１０は、平面視において靴内部底面の踵領域と略相似形に形成されるものである。但し、その中央部、着用者の踵と靴内部底の接地面に当たる部位近傍は、略円形の孔部１３を設けリング形状に形成してある。
【００１８】
孔部１３を囲む部位は図４、図５に示すように肉厚に形成してる。使用時における踏まず領域４側に設けた枕部１１は、高さ方向、幅方向共に肉厚に形成し、踏まず領域４側以外の周縁部１２は主に高さ方向に肉厚に形成してある。枕部１１及び周縁部１２以外は概ね平板に形成してある。
【００１９】
本考案に係る靴用滑り止め部材１０は、シリコン樹脂で形成することが好ましいが、他にもアクリル製合成樹脂ゴムや発泡ウレタンその他、滑り止め効果を有する任意の樹脂を採用可能なものである。
【符号の説明】
【００２０】
１０・・靴用滑り止め部材      １１・・枕部    １２・・周縁部
１３・・孔部    
【図１】
0003183950.tif 000003
【図２】
0003183950.tif 000004
【図３】
0003183950.tif 000005
【図４】
0003183950.tif 000006
【図５】
0003183950.tif 000007
【図６】
0003183950.tif 000008
【図７】
0003183950.tif 000009
(57)【要約】      （修正有）【課題】リードプレートの表の面とバルブが、結露による水分や唾液の水分の付着により固着し、異音が出ることを防止するスライド式クロマチックハーモニカネット状シート付きバルブを提供する。【解決手段】スライド式クロマチックハーモニカのリードプレートに備えたバルブにおいて、そのバルブのベースシート９に付いている補強シート８とは反対側のリードプレート側に接する面にバルブのベースシートと同形状の細かい目のネット状の０．０２ｍｍ〜０．７ｍｍ厚のシート１０を重ねて一部または全部を固定する。リードプレートの表の面に接するバルブの面積が小さくなり、水分の付着によるバルブの固着を防止できる。【選択図】図３
0003183909.tif 000002
【実用新案登録請求の範囲】
【請求項１】
通常のスライド式クロマチックハーモニカのリードプレートに備えたバルブにおいて、そのバルブのリードプレート側に接する面にバルブと同形状の細かい目のネット状の０．０２mm〜０．３mm厚のシートを重ねて片側一部を固定し形成されたことを特徴とするスライド式クロマチックハーモニカネット状シート付きバルブ。
【考案の詳細な説明】
【技術分野】
【０００１】
本考案は、半音切り替え可能なスライド式クロマチックハーモニカに関するものである。
【背景技術】
【０００２】
スライド式クロマチックハーモニカは、音を発生させるリード及び音漏れを防ぐためのバルブを備えたリードプレートとそのリードプレートを固定させるボディーおよびそのリードプレートを保護しているカバー及び全音と半音を切り替えるスライドレバーにより構成されている。
【先行技術文献】
【特許文献】
【０００３】
【特許文献１】特許公開２００８−１２２５２９
【考案の概要】
【考案が解決しようとする課題】
【０００４】
通常のスライド式クロマチックハーモニカの音は、マウスピースの穴から吹き吸いする空気がリードプレートに備えてあるリードを通過し、リードが振動することによって音が出る。リードとバルブを備えたリードプレートは、スライド式クロマチックハーモニカのボディーの前側と後ろ側にそれぞれ1枚ずつ備えてあり、それぞれのリードプレートの表と裏の面にそれぞれ吹き音用のリードと吸い音用のバルブ及び吸い音用のリードと吹き音用のバルブが備えてある。吹き音用の裏の面のリードが振動するときそのリードプレートの裏の面のバルブが閉じ、この時同時にリードプレートの表の面のバルブは開くことによって空気が漏れることなく、リードに伝わり振動し音が出る。この時リードプレートの表の面のバルブが開く時、リードプレートの表の面とバルブが、結露による水分や唾液の水分の付着により固着し、異音を出す欠点があった。  
【課題を解決するための手段】
【０００５】
通常のスライド式クロマチックハーモニカのリードプレートに備えたバルブにおいて、そのバルブのリードプレート側に接する面にバルブと同形状の細かい目のネット状の０．０２mm〜０．３mm厚のシートを重ねて片側一部を固定し形成する。
以上の構成よりなるスライド式クロマチックハーモニカネット状シート付きバルブ。
【考案の効果】
【０００６】
従来のバルブのリードプレートに接する面にこのバルブと同じ形状の０．０２mm〜０．３mm厚のネット状シートの片側一部を固定し備えることで、結露による水分や唾液の水分の付着によりバルブがリードプレートに固着することがなく、異音を発生することがなくなる。
【図面の簡単な説明】
【０００７】
【図１】通常のスライド式クロマチックハーモニカを分解した斜視図
【図２】通常のスライド式クロマチックハーモニカのバルブの斜視図
【図３】本考案のバルブの斜視図
【考案を実施するための形態】
【０００８】
以下、本考案の実施の形態を説明する。
スライド式クロマチックハーモニカのリードプレート（２）に備えたベースシート（９）と補強シート（８）で構成されたバルブ（４）において、そのベースシート（９）と同じ形状のネット状シート（１０）をベースシート（９）の片側一部を固定し形成する。
本考案は以上のような構造である。
【０００９】
図１と図２に示すように、通常のスライド式クロマチックハーモニカは、カバー（１）、リードプレート（２）、リード（３）、バルブ（４）、ボディー（５）、スライドレバー（６）、マウスピース（７）により構成されている。そのスライド式クロマチックハーモニカの音は、マウスピース（７）の穴から吹き吸いする空気がリードプレート（２）に備えてあるリード（３）を通過し、リード（３）が振動することによって音が出る。リード（３）とバルブ（４）を備えたリードプレート（２）は、スライド式クロマチックハーモニカのボディー（５）の前側と後ろ側にそれぞれ1枚ずつ備えてあり、それぞれのリードプレート（２）の表と裏の面にそれぞれ吹き音用のリード（３）と吸い音用のバルブ（４）及び吸い音用のリード（３）と吹き音用のバルブ（４）が備えてある。吹き音用の裏の面のリード（３）が振動するときそのリードプレート（２）の裏の面のバルブ（４）が閉じ、この時同時にリードプレート（２）の表の面のバルブ（４）は開くことによって空気が漏れることなく、リード（３）に伝わり振動し音が出る。この時リードプレート（２）の表の面のバルブ（４）が開く時、リードプレート（２）の表面とベースシート（９）と補強シート（８）で構成されているバルブ（４）のベースシート（９）が、結露による水分や唾液の水分がリードプレート（２）の表面と付着することにより、リドプレート（２）の表面に固着し、異音を出す欠点があった。
【００１０】
本考案は、図１と図３に示すようにバルブ（４）のベースシート（９）の補強シート（８）とは反対の面に、ネット状シート（１０）の片側の一部をベースシート（９）に固定することにより、リードプレート（２）の表の面に接するバルブ（４）の面積が小さくなり、結露による水分や唾液の水分がリードプレート（２）の表の面に付着しても、バルブ（４）がリードプレート（２）の表面に固着しにくくなり、異音が発生しなくなる効果がある。
【符号の説明】
【００１１】
１    カバー
２    リードプレート
３    リード
４    バルブ
５    ボディー
６    スライドレバー
７    マウスピース
８    補強シート
９    ベースシート
１０  ネット状シート
【図１】
0003183909.tif 000003
【図２】
0003183909.tif 000004
【図３】
0003183909.tif 000005
【手続補正書】
【提出日】平成25年4月16日(2013.4.16)
【手続補正１】
【補正対象書類名】実用新案登録請求の範囲
【補正対象項目名】全文
【補正方法】変更
【補正の内容】
【実用新案登録請求の範囲】
【請求項１】
通常のスライド式クロマチックハーモニカのリードプレートに備えたバルブにおいて、そのバルブのリードプレート側に接する面にバルブと同形状の細かい目のネット状の０．０２mm〜０．７mm厚のシートを重ねて一部または全部を固定し形成されたことを特徴とするスライド式クロマチックハーモニカネット状シート付きバルブ。
(57)【要約】      （修正有）【課題】男子小便用トイレにおいて、便器の尿の滴が零れ、その濡れて汚れた床の足元で、靴、スリッパ等の底や又はズボン等の裾が濡れて汚れるのを防ぎ、不愉快、不衛生を解消した、トイレの敷きマットを提供する。【解決手段】便器４の足元に敷いた零れた尿を吸収する紙おむつ等の下敷き１と、前記下敷き１の上に、下敷き１との間に空間を持たせた状態で取外し可能に載置される金網２とを備え、金網２の下に設けた爪３を下敷き１に立てて固定して組み合わせて成るトイレの敷マットである。【選択図】図１
0003188072.tif 000002
【実用新案登録請求の範囲】
【請求項１】
便器の足元に敷いた零れた尿を吸収する下敷きと、前記下敷きの上に、該下敷きとの間に空間を持たせた状態で取外し可能に載置される金網と、を備え、
前記金網の下に設けた爪を前記下敷きに立てて固定して組み合わせて成るトイレの敷マット。
【考案の詳細な説明】
【技術分野】
【０００１】
本考案は、トイレの敷マットに関するものである。
【背景技術】
【０００２】
従来、尿が便器から零れ汚れたトイレの床を清潔にするため対策として、床に各種の素材の敷物を敷き、漏れた尿を吸収させ、その敷物を仕変えたり、床を頻繁にモップ、雑巾等により尿を拭きとり床の清潔を保っているが、その時だけ床の清潔は保全されても、常時、床は清潔に保たれているわけではなく、敷いた敷物が尿で濡れて不愉快な状態になってしまう。トイレの設置場所、床の素材により全てに適用するものではなく、又、その下の清掃は不自由である。
【先行技術文献】
【特許文献】
【０００３】
【特許文献１】特開２００８−１８３９０８
【考案の概要】
【考案が解決しようとする課題】
【０００４】
使用者が便器に立ったとき、便器の床の足元は殆どは濡れて不愉快な状態になっている。使用者は、ズポンの裾を手繰り挙げるか、又は濡れた便器から一歩下がって濡れた床を避けて用便する人が多い。そのため床の尿は広がり用便する者は、益々便器から離れてしまう。その不便、不衛生と不愉快を解消するためのものである。
【課題を解決するための手段】
【０００５】
本考案に係るトイレの敷マットは、便器の足元に敷いた零れた尿を吸収する下敷きと、前記下敷きの上に、該下敷きとの間に空間を持たせた状態で取外し可能に載置される金網と、を備え、前記金網の下に設けた爪を前記下敷きに立てて固定して組み合わせて成ることを特徴とする。
【考案の効果】
【０００６】
よって、本考案のマットを使用することにより、次の用便する者が、男子小便時に尿が便器の外に零れ濡らし汚れた床を、下履き、又は衣服、ズポンの引きずった裾を汚す不衛生を心配する必要もなく不愉快な思いをしなくてもよい。
【図面の簡単な説明】
【０００７】
【図１】本考案に係るトイレの敷マットの斜視図である。
【考案を実施するための形態】
【０００８】
本考案に係るトイレの敷マット１０は、図１に示すように、便器４の足元に敷いた下敷き１と、その下敷き１上に、下敷き１との間に空間を持たせた状態で載置された金網２とから構成されている。
【０００９】
下敷き１は、零れた尿等の水分を吸収する紙おむつ等から構成されている。金網２は、出来るだけ粗い網目とし、又、素材は、大人が乗っても沈む事のないような素材が必要である。下敷き１と金網２との間の空間は出来るだけ零れた尿が金網１に接触しないようにする。素材の太さ、金網等の隙間、形、又、網目は、場所、状態によって決めればよく金網２に使用する素材は、尿を吸収しない又、容易に錆びない素材が必要であることは言うに及ばない。また、金網２の両脇の下には、爪３が設けられており、その爪３を下敷き１に立てることにより、下敷き１と金網２とが取外し自在に固定される。
【００１０】
本考案に係るトイレの敷マット１０によれば、床清掃の際、金網２を少し持ち上げるだけで、汚れた下敷きと新しい下敷きとの交換が容易に出来、清掃掃除の手間を随分省くことが出来る。
その上、トイレの床は零れた尿により禿げたり、変色などは、防ぐことが出来る。これにより使用者は、足元の零れた尿を気にすることなく安心して用を達することが出来る。
【符号の説明】
【００１１】
１      下敷き
２      金網
３      爪
４      便器
【図１】
0003188072.tif 000003
(57)【要約】      （修正有）【課題】色々な太さの紐や平板状のゴム紐等を挟持・固定することができ紐を傷付けることなく、かつ、フレキシブルな通し具本体によりスムーズな、紐通しができる紐通し具を提供する。【解決手段】紐通し具１は、自在に折曲する線状（ワイヤ等）の通し具本体２の先端に、ナスビ型の案内部３を設け、後部にフック状で後端を円形状に形成した紐取付部４を設けると共に、紐取付部４を包持すべく、通し具本体２上を前後に移動する筒状の包持部５を設けてなる。また、通し具本体２の中央部付近に掴み部６を設けてある。【選択図】図１
0003187704.tif 000002
【実用新案登録請求の範囲】
【請求項１】
自在に折曲する線状の通し具本体の先端に案内部を設け、後部にフック状の紐取付部を設けると共に、紐取付部を包持すべく、通し具本体上を前後に移動する筒状の包持部を設けてなることを特徴とする紐通し具。
【請求項２】
紐取付部の後端を円弧状に形成し、紐の先端部を取り付け、包持部を移動させることにより紐を挟持固定することを特徴とする請求項１記載の紐通し具。
【請求項３】
案内部が、ナスビ型であることを特徴とする請求項１又は２記載の紐通し具。
【請求項４】
通し具本体の中央部付近に掴み部を設けることを特徴とする請求項１、２又は３記載の紐通し具。
【考案の詳細な説明】
【技術分野】
【０００１】  本考案は、スカート等のウエスト部に紐等を通すための紐通し具に関するものである。
【背景技術】
【０００２】  従来の技術として、先導部と紐留め部とがジョイント部を介して連結されており、先導部と紐留め部との間はジョイント部によってねじり回転が自在に保持されているものがある。（特許文献１参照）【０００３】  別の従来の技術として、棒材の端部に、差通部挿入部を有するピン材を開閉可能に設け、該ピン材の差通部を収納する係止部を設けたことを特徴とするひも通し具がある。（特許文献２参照）
【先行技術文献】
【特許文献】
【０００４】
【特許文献１】  特開２００５−２３２６５１号公報
【特許文献２】  特開２００２−３８３２５号公報
【考案の概要】
【考案が解決しようとする課題】
【０００５】  上記前者は、紐留め部にて紐を刺して使用するものであり、紐を傷付けることがある。よって、本発明のような紐取付部と包持部にて挟持・固定するものではない。【０００６】  上記後者は、ピン材の挿入部に紐を通して使用するものであり、抜けてしまうことがあり、本発明のような紐取付部と包持部にて挟持・固定するものではない。【０００７】  本考案は、上記問題を解決するもので、特に紐取付部と包持部にて、色々な太さの紐や平板状のゴム紐等を挟持・固定することができ紐を傷付けることなく、かつ、フレキシブルな通し具本体によりスムーズな、紐通しができる紐通し具を提供することを目的とする。
【課題を解決するための手段】
【０００８】  本考案は、上記目的を達成するため、自在に折曲する線状の通し具本体の先端に案内部を設け、後部にフック状の紐取付部を設けると共に、紐取付部を包持すべく、通し具本体上を前後に移動する筒状の包持部を設ける、また、紐取付部の後端を円弧状に形成し、紐の先端部を取り付け、包持部を移動させることにより紐を挟持固定する、さらに、案内部が、ナスビ型であること。摘み部を設けてあること。
【考案の効果】
【０００９】１）、線状の通し具本体により、自在に折曲し、楽々紐通しができる。
２）、フック状の紐取付部と包持部の組み合わせにより紐の太さや平板状のゴム板等、問題なく挟持・固定することができる。
３）、案内部をナスビ型にすることにより、手で掴んで移動し易く、かつ、位置が分かり易い。
４）、掴み部を持って、スカート等のウエスト部を手繰り寄せることが簡単にできる。
【図面の簡単な説明】
【００１０】
【図１】  本考案の一実施例を示す紐通し具の正面図。
【図２】  本考案の一実施例を示す紐通し具の紐取付部を閉じた正面図。
【図３】  本考案の一実施例を示す紐通し具の円形状の紐を取り付けた使用状態図。
【図４】  本考案の一実施例を示す紐通し具の平板状の紐を取り付けた使用状態図。
【考案の実施するための形態】
【００１１】  紐通し具１は、自在に折曲する線状（ワイヤ等）の通し具本体２の先端に、ナスビ型の案内部３を設け、後部にフック状で後端を円形状に形成した紐取付部４を設けると共に、紐取付部４を包持すべく、通し具本体２上を前後に移動する筒状の包持部５を設けてなる。
また、通し具本体２の中央部付近に掴み部６を設けてある。（図１・図２参照）
【００１２】  つぎに、紐通し具１の使用例について説明する。
円形状の少し太い紐Ｈの場合、紐Ｈの先端部を紐取付部４の後端Ｋ方向に取り付け、紐取付部４の先端Ｓを内側に押しつけ、包持部５を後方へ移動させ紐取付部４を包持することにより挟持・固定するものである。（図３参照）
【００１３】  別の使用例として、平板状の紐Ｈ１の場合、紐Ｈ１の先端部を紐取付部４の後端Ｋ方向に取り付け、紐取付部４の先端Ｓ１を内側に押しつけ、包持部５を後方へ移動させ紐取付部４を包持すると共に、紐Ｈ１を押圧し、挟持・固定するものである。（図４参照）
【００１４】  上記のように紐Ｈ・Ｈ１を取り付けた紐通し具１は、スカート等のウエスト部に、案内部３より挿入し、掴み部６を持ち、ウエスト部を手繰り寄せながら紐Ｈ・Ｈ１を通すものである。
【００１５】  なお、上記実施例において、大きさ（長さ等）や材質等は、必要に応じて決めればよい。
また、用途は、スカート等の紐通しに限定せず、電線をチューブ内に通す等、色々考えられるものである。
【符号の説明】
【００１６】  １−−−紐通し具
２−−−本体
３−−−案内部
４−−−紐取付部
５−−−包持部
６−−−掴み部
Ｈ−−−紐
【図１】
0003187704.tif 000003
【図２】
0003187704.tif 000004
【図３】
0003187704.tif 000005
【図４】
0003187704.tif 000006
(57)【要約】      （修正有）【課題】開閉が容易になる樹脂製ジッパーを提供する。【解決手段】ジッパーの凸凹の凹部の片側の一部アを切除して密封力を弱める。また、ジッパーの耳の部分に切れ込みイを入れて指をかけやすくする。さらに、ジッパーの凸凹の延長部分を一部垂直にたちあげ、耳の部ウを形成して、開閉しやすくする。また、この耳の部分に着色を施し、視認性を向上させる。【選択図】図１
0003187795.tif 000002
【実用新案登録請求の範囲】
【請求項１】
樹脂製の留め具ジッパーの開閉を容易にする改良案（１）
ジッパーの凹凸の凹部の片側の一部を切除して密封を弱める
【請求項２】
樹脂製の留め具ジッパーの開閉を容易にする改良案（２）
ジッパーの耳の部分に切れ込みを入れて指をかけやすくする
【請求項３】
樹脂製の留め具ジッパーの開閉を容易にする改良案（３）
ジッパーの凹凸の延長形状が一部垂直にたちあがり耳の部を形成して一連のものとして開閉しやすくする
【請求項４】
樹脂製の留め具ジッパーの開閉を容易にする改良案（４）
ジッパーの耳の部分に着色を施し、視認製を向上させる
【考案の詳細な説明】
【技術分野】
【０００１】この考案は、ジッパーの開閉を容易にする考案である。
【背景技術】
【０００２】従来、このようなものはない。
【考案の開示】
【考案が解決しようとする課題】
【０００３】樹脂製のジッパーは商品の封入、又は野菜や肉などを入れて保存や調理など密封をする目的を擁しているが、その密封性より著しく開封に力を必要とし、時には開口部の破損を生じさせるなど開閉に問題があり、特に開封に配慮したものはないという欠点があった。
【課題を解決するための手段】
【０００４】ジッパー自体またはその周辺を加工したもので、
１．ジッパーの形状は、現状は直線状の凹と凸とをあわせて密封する形状であるが、これの凹の片側の一部を取り除いて密着性を低下させた部分をつくる
２．ジッパーの開閉を行う耳の部分に切れ込みをいれる
３．ジッパーの開閉を行う耳の部分にジッパーと連続した開閉部分を延長した部分をつくる
４．これら３点のいずれかの改良によってジッパーの開閉を容易にする考案である
以上から構成される新規のジッパーである。
図１．はその形状をあらわしている使用例
図２．は本考案の構成部をあらわしている
【考案の効果】
【０００５】以下、本考案の実施の形態について説明する。
（イ）ジッパーの凹凸の凹の片側の一部分を取り除いた形状にすることで他の部分より密着性を低減することで開封を容易にできる
（ロ）ジッパーの開閉を行う耳の部分の一部に切れ込みを入れて指のかかりをよくすることで開閉を容易にできる
（ハ）ジッパーの凹凸の延長部分を垂直に耳の部分までもたせれば開閉を容易に行える
【考案を実施するための最良の形態】
【０００６】このような形状にすることにより、樹脂性のジッパーの開閉が容易に行えるようになる
【実施例】
【０００７】以下、添付図面に従って実施例を説明する。
全体的に透明の樹脂に付けたジッパーと周辺の耳部の形状で、
（Ａ）一般的な樹脂性のジッパーの全体図
（Ｂ）凹の一部を取り除いた形状部
（Ｃ）耳の一部に切れ込みをいれた形状部
（Ｄ）ジッパーと連続し、延長部分を垂直に耳の部分までもたせた形状部
以上のいずれかより構成される構造物である。【０００８】（Ａ）の通常形態に（Ｂ）部を設けると密着性が弱まる
（Ｃ）部を設けると指がかかりやすい
（Ｄ）はジッパーの凹凸部が連続して耳の部分まで来ていて強度があり持ち易い
【図面の簡単な説明】
【０００９】
【図１】図１．はその形状をあらわしている使用例である。
【図２】図２．は本考案のそれぞれの構成部をあらわしている。
【符号の説明】
【００１０】符号（Ａ），全体部をあらわす。
符号（ア），ジッパーの凹凸の凹の片側の一部を取り除いた部
符号（イ），ジッパーの耳の部に切れ込みを入れた部
符号（ウ）ジッパーの凹凸の延長部分を垂直に耳の部まで立ち上げた部
【図１】
0003187795.tif 000003
【図２】
0003187795.tif 000004
【手続補正書】
【提出日】平成25年8月22日(2013.8.22)
【手続補正１】
【補正対象書類名】実用新案登録請求の範囲
【補正対象項目名】全文
【補正方法】変更
【補正の内容】
【実用新案登録請求の範囲】
【請求項１】
ジッパーの凸凹の凹部の片側の一部を切除して密封力を弱めた樹脂製の留め具ジッパー
【請求項２】
ジッパーの耳の部分に切れ込みを入れて指をかけやすくした樹脂製の留め具ジッパー
【請求項３】
ジッパーの凸凹の延長形状が一部垂直にたちあがり、耳の部を形成して、一連のものとして開閉しやすくした樹脂製の留め具ジッパー
【請求項４】
ジッパーの耳の部分に着色を施し、視認性を向上させることを特徴とする請求項１〜３のいずれか一項に記載の樹脂製の留め具ジッパー